(57)【要約】【課題】この発明は、疑似カップ周りの傾斜具合を明瞭に視認できるようにして適切なパッティングラインを読めるようにし、効果的な練習ができるようにしたパッティング練習具を得ることを課題とする。【解決手段】この発明は、表面に円が表された平板１と、前記平板１の設置面の傾斜状態を指示する傾斜指示手段３とを備え、前記平板１には前記円の外縁に接するようにして柱体２を配設して構成する。【選択図】図１
2014014653.tif 000002
【特許請求の範囲】
【請求項１】
表面に円が表された平板と、
前記平板の設置面の傾斜状態を指示する傾斜指示手段とを備え、
前記平板には前記円の外縁に接するようにして柱体が配設された、
パッティング練習具。
【請求項２】
傾斜指示手段は、柱体で支持して平板の上方に配設するものとした、
請求項１記載のパッティング練習具。
【請求項３】
傾斜指示手段は、平板の表面に組み込んで配設するものとした、
請求項１記載のパッティング練習具。
【請求項４】
傾斜指示手段は、平板に表された円の中心軸上の一点で揺動可能に柱体に取り付けて前記平板の上方に垂下された、
請求項２記載のパッティング練習具。
【請求項５】
平板の表面には、円の中心線と設置面の傾斜具合を示す目盛り線とが表された、
請求項１ないし４の何れか記載のパッティング練習具。
【請求項６】
柱体は、平板表面に表された円の中心線から所定間隔を介して配設された、
請求項５記載のパッティング練習具。
【請求項７】
柱体は三脚状に配設された、請求項１ないし６の何れか記載のパッティング練習具。
【請求項８】
柱体は配設位置を調整可能とした、請求項１ないし７の何れか記載のパッティング練習具。
【発明の詳細な説明】
【技術分野】
【０００１】
この発明は、ゴルフのパッティング練習具に関するものである。
【背景技術】
【０００２】
ゴルフ場のグリーンは微妙な傾斜面で複雑に構成されており、カップはほとんどが傾斜面に切られているのが一般的である。
そのため、プレーヤーは、パッティングをする際にグリーンの傾斜を読み、パットするラインを見極める必要があるが、正確にパッティングのラインを読むことは、ゴルフ初心者はもちろんベテランにとっても至難の技である。
パッティングの難しさの一因はグリーン上におけるラインの読み方の難しさにあるが、特に、グリーンは微妙な傾斜で複雑に構成されているために周囲の傾斜面や景色の視覚的影響を受ける等してカップ周りの傾斜具合を見誤り、カップまでの斜面がそれほど角度がないように見えるにも関わらず、パットした打球がカップから外れてしまうことがよくある。
そのため、練習用グリーンが併設されたゴルフ場でプレーする場合には、その日のグリーンの感触を掴むべく、スタート前に練習用グリーンでパッティング練習を行うプレーヤーが多い。
【０００３】
練習用グリーンには、通常、コース内のグリーン同様にカップが切られていたり、疑似カップとしてのゲートなどが設けられており、プレーヤーはこれらのカップを狙ってパッティング練習をする。このとき、プレーヤーはグリーンの傾斜を読んでパットのラインを見極める必要があるところ、このライン読みはプレーヤーの勘に頼らざるを得ないので効果的な練習ができず、結局その日のグリーンに適したパッティングの感触を掴むことができないままスタートせざるを得なくなることが多い。
【０００４】
従来より練習用グリーンでも使用できるパッティング練習具として、例えば特開２００６−５８６号公報に記載された発明や、実用新案登録第２５８５９２０号公報に記載された考案が提案されているが、何れもパッティングの目標となる疑似カップとして機能するにすぎず、これらを用いてパッティング練習をしても、疑似カップ周りの微妙な傾斜具合を確認しながら適切なパッティングラインを読むことができず、効果的なパッティング練習を行うことはできない。
【特許文献１】特開２００６−５８６号公報
【特許文献２】実用新案登録第２５８５９２０号公報
【０００５】
他方、従来より、自宅やゴルフ練習場などの室内で使用されるパッティング練習具には、特開平１１−２４４４４２号公報、特開２００２−２８２７２号公報に記載された発明のように、パット面に任意の方向の傾斜面が形成されるものが提案されている。
しかしながら、これらを用いてパッティング練習した場合でも、カップ周りの微妙な傾斜具合を確認することができないことはゴルフ場のグリーンや練習グリーンと何ら変わるところがなく、ライン読みは練習者の勘に頼らざるを得ないので、カップ周りの微妙な傾斜を確認しながら適切なパッティングラインを読むことができず、効果的にパッティング練習を行うことはできない。
【特許文献３】特開平１１−２４４４４２号公報
【特許文献４】特開２００２−２８２７２号公報
【発明の開示】
【発明が解決しようとする課題】
【０００６】
この発明は、疑似カップ周りの傾斜具合を明瞭に視認できるようにして適切なパッティングラインを読めるようにし、傾斜面における効果的な練習ができるようにしたパッティング練習具を得ることを課題とする。
【課題を解決するための手段】
【０００７】
この発明のパッティング練習具は、表面に円が表された平板と、前記平板の設置面の傾斜状態を指示する傾斜指示手段とを備え、前記平板には前記円の外縁に接するようにして柱体を配設して構成する。
【０００８】
前記平板は、設置される面の傾斜状態を正確に反映するために、歪みや変形を生じない素材を用いて構成してあればよく、平板状であればその形状は問わない。
前記平板の表面に表された円は、パッティングの目標となる疑似カップとしての機能を有するものであり、その直径は実際のカップと同じ直径（１０．８ｃｍ）とするのが好ましい。
また、平板の表面には、円の中心線と、設置面の傾斜具合を示す目盛り線とを表すことが好ましい（請求項５）。この中心線はパットするボールを置く方向を示すためのものであり、目盛り線は設置面のおおよその傾斜角と傾斜方向を示すためのものである。前記目盛り線は、前記円の中心点を中心とする同心円状の円や半円として表すのが好ましい。
この発明において、平板の表面に「円を表す」とは、平板の表面上に円を描くことだけでなく、平板を円形に形成することも含む概念である。
【０００９】
前記傾斜指示手段は、前記平板の設置面の傾斜状態を指示することができるものであればよく、水準器（アナログ式、デジタル式）や水準器アプリケーションを備えたスマートフォンなどが考えられる。
前記傾斜指示手段は、前記柱体で支持して平板の上方に配設したり（請求項２）、前記平板の表面に組み込んで配設すること（請求項３）が考えられる。
また、前記傾斜指示手段を前記柱体で支持して平板の上方に配設する場合には、前記傾斜指示手段は前記平板に表された円の中心軸上の一点で揺動可能に柱体に取り付けて前記平板の上方に垂下して配設することもできる（請求項４）。この場合、前記傾斜指示手段は、前記平板の上方に垂下され、設置面の傾斜状態を指示することができるものであればよく、例えば糸や紐の先端に錘を取り付けて構成することが考えられるが、糸などを用いずに棒状の錘を直接支持手段に揺動可能に取り付けて構成してもよい。
【００１０】
前記柱体は、カップインしない可能性が高い打球を弾くとともに、前記平板を設置面に設置するための構成である。また、この柱体は、前記傾斜指示手段を前記平板の上方に配設する場合、前記傾斜指示手段を支持する機能も備え、この場合には、前記傾斜指示手段を前記平板の上方に配設した状態でこれを支持できるものであればよく、例えば、逆Ｌ字状の１本の支持棒としたり、２本脚を備えたゲート状に構成したりすることが考えられるが、三脚状に配設するのが好ましい（請求項７）。
この柱体は、前記傾斜指示手段を前記平板に表された円の中心軸上の一点で揺動可能に柱体に取り付けて前記平板の上方に垂下して配設する場合には、前記平板表面に表された円の中心軸上の一点で前記傾斜指示手段を揺動可能に取り付けることができるものであればよい。
また、前記柱体は、平板表面に表された円の中心線から所定間隔を介して配設するのが好ましく（請求項６）、さらには、配設位置を調整可能とするのが好ましい（請求項８）。
【発明の効果】
【００１１】
この発明によれば、表面に円が表された平板に前記平板の設置面の傾斜状態を指示する傾斜指示手段を配設したので、このパッティング練習具をグリーン上に設置すると、設置面の傾斜具合が傾斜支持手段によって指示され、設置面の傾斜方向と傾斜角を確認することができ、練習者は疑似カップ周りの傾斜具合を認識した上でパッティングのラインを読むことができる。
そして、柱体は、平板表面に表された疑似カップとしての円の外縁に接するように配設してあるので、傾斜の低い側の前方（打球を置く方向側）に柱体が位置するようにパッティング練習具を設置することで、パットした打球が疑似カップの傾斜の低い側に逸れた場合にこれを弾くことができ、その打球がカップインしない可能性の高い打球であったことを確認することができる。これにより、練習者は意識的にパッティングのラインを修正することができ、より確実にカップインするラインを意識しならがらパッティング練習をすることができる。
【００１２】
請求項２の発明によれば、傾斜指示手段は、柱体で支持して平板の上方に配設したので、パッティング練習の際、練習者はパッティング位置からでも疑似カップ周りの傾斜具合を確認しやすい。
【００１３】
請求項３の発明によれば、傾斜指示手段は、平板の表面に組み込んで配設したので、傾斜指示手段と平板とを一体化でき、コンパクトなパッティング練習具を得ることができる。
【００１４】
請求項４の発明によれば、表面に円が表された平板の上方に、前記平板の設置面の傾斜状態を指示する傾斜指示手段を垂下し、この傾斜指示手段を前記平板表面に表された円の中心軸上の一点で揺動可能に柱体に取り付けてあるので、このパッティング練習具をグリーン上に設置すると、設置面の傾斜具合に応じて傾斜指示手段が低い方向に振れ、その指し示した位置が中心からどの方向にどの程度ずれているかを見ることによって設置面の傾斜方向と傾斜角を確認することができ、練習者は疑似カップ周りの傾斜具合を認識した上でパッティングのラインを読むことができる。
【００１５】
請求項５の発明によれば、表面に円が表された平板には、パットするボールを置く方向を示す円の中心線と設置面の傾斜具合を示す目盛り線とが表してあるので、ボールを置く方向に対する設置面の傾斜具合が分かりやすく、パッティングのラインをより読みやすくすることができる。
【００１６】
請求項６の発明によれば、柱体は、平板表面に表された円の中心線から所定間隔を介して配設したので、ボールを置く方向を示す中心線上に柱体が位置することがなく、疑似カップに確実にカップインするはずの打球が柱体によって弾かれてしまうことがない。
【００１７】
請求項７の発明によれば、柱体は三脚状に配設したので、傾斜指示手段を安定して支持することができる。
【００１８】
請求項８の発明によれば、平板表面に表された円の外縁に接するように配設される柱体の配設位置を調節可能としたので、傾斜面の角度に応じて適切なカップイン範囲が得られる位置関係となるように柱体を配設することができる。
【図面の簡単な説明】
【００１９】
【図１】この発明の実施例の概要を示す図
【図２】同じく円形平板と支柱の配置関係を示す図
【図３】同じくパッティング練習具を傾斜面に載置した状態の様子を示す図
【図４】同じく右傾斜面における練習の様子を説明する図
【図５】同じく左傾斜面における練習の様子を説明する図
【図６】同じく左下り傾斜面（傾斜角度２．４度）における打球の軌跡を説明する図
【図７】この発明の第２の実施例における柱体配設位置の調整方法を説明する図（右下り傾斜時）
【図８】同じく円形平板の柱体配設位置の調整方法を説明する図（左下り傾斜時）
【図９】同じくパッティング練習具の載置面による見え方の違いを示す図
【図１０】柱体を１本とした実施例の概要を示す図
【図１１】デジタル水準器を用いて傾斜指示手段を構成した実施例の概要を示す図
【図１２】傾斜指示手段を円形平板の表面に組み込んで配設した実施例を示す図
【図１３】設置面との間に所定間隔を介してパッティング練習具を設置する実施例を示す図
【発明を実施するための形態】
【００２０】
図１は、この発明のパッティング練習具の概要を示す図である。
擬似カップとしての円形平板１は、湿気や水、紫外線や乾燥等によって歪みや変形が生じにくい素材（例えば硬質のゴムや金属、合成樹脂等）を用いて、グリーンに形成される実際のカップと同じ直径（１０．８ｃｍ）の肉薄の円形平板として形成されている。
この円形平板１の外縁には、後述する支持手段２を着脱可能に取り付けるための取付片１１が、円形平板１に正三角形を内接させた場合の各頂点の位置関係となる位置に延設されている。
【００２１】
この円形平板１の表面には、２つの取付片１１，１１の中心同士を結ぶ１本の直線と平行となるように中心線１２が表され、この中心線１２を境とする２つの半円形領域のうち、取付片１１が２つ形成されている側の半円形領域は黒色に配色されるとともに、３本の半円状の目盛り線１３ａ，１３ｂ，１３ｃが円形平板１の中心点を中心として同心円状に表されている。中心線１２はパットするボールを置く方向を示すためのものであり、目盛り線１３ａ，１３ｂ，１３ｃはこのパッティング練習具が載置される面の傾斜角を示すためのものである。
目盛り線１３ａ，１３ｂ，１３ｃはそれぞれ順に傾斜角０．８度、１．６度、２．４度を示し、距離を置いた位置（パッティングする位置）からでも傾斜具合が認識できるようにするため、隣り合う目盛り線間を交互に異なる色で配色し、０度から０．８度までの緩傾斜領域、０．８度から１．６度までの中傾斜領域、１．６度から２．４度までの急傾斜領域として区分けされている。
【００２２】
目盛り線１３が表された半円形領域と反対側の半円形領域には、パッティング距離に応じてパットする際に目標とすべき目印１４ａ、１４ｂが表示されている。内側の目印１４ａは１．５ｍ未満の距離からパットする場合に目標とする目印で、外側の目印１４ｂは１．５ｍ以上の距離からパットする場合に目標とする目印である。距離が長い場合の目印が外側に表示されているのは、打球の進行方向に対して左右に傾斜した面でパッティングする場合、距離が長いとそれだけ打球が左右に大きく曲がるためである。
【００２３】
また、円形平板１の中心には、円形平板１を載置面に固定するための固定具を刺すための孔１５が設けてある。固定具としてはピンを備えたボールマーカー等を用いることができる。
【００２４】
円形平板１の外縁には、柱体２が円形平板１の外縁に接するようにして円形平板１の取付片１１に着脱可能に取り付けられている。
この柱体２は、それぞれ長さ５０ｃｍ、直径約５ｍｍの３本の支柱２ａ，２ｂ，２ｃの一端側を一纏めにし、他端側を等間隔に広げて底面正三角形の三角錐状の三脚部材となるように構成してあり、３本の支柱２ａ，２ｂ，２ｃのうち２本の支柱２ｂ，２ｃの下端を結ぶ直線が、円形平板１の中心線１２と並行になるように配設してある（中心線１２と支柱２ｂ，２ｃの下端を結ぶ直線との間隔は２．６５ｃｍである。）。このように配設することで、柱体２の頂部２１は、円形平板１の中心軸上に位置することとなる。
【００２５】
円形平板１の中心軸上に位置する柱体２の頂部２１には、傾斜指示手段３が揺動可能に取り付けてあり、その先端が円形平板１表面に接触しないように垂下されている。
この傾斜指示手段３は、長さ４８ｃｍの釣り糸３１の先端に、尖った先端部を備えた錘３２を取り付けて構成してあり、このパッティング練習具をグリーン上に載置した場合にその載置面が平坦であるときには錘３２の先端が円形平板１の中心を指示し、傾斜している場合には重力の働きにより傾斜の低い方向に錘３２が動いて円形平板１の中心からずれた位置を指示するようにしてある。
この実施例において、傾斜指示手段３は釣り糸３１の先端に錘３２を取り付けて構成したが、釣り糸などを用いることなく細長い直線状の錘を直接柱体２の頂部２１に揺動可能に取り付けて構成することもできる。
【００２６】
柱体２は円形平板１に着脱可能に取り付けてあるので、保管時や運搬時には円形平板１から取り外して畳んでおくことができる。さらに、傾斜指示手段３の柱体２への取り付けも着脱可能なものとしておけば、保管・運搬時に傾斜指示手段３を取り外しておくこともできる。
【００２７】
次に、このパッティング練習具を用いてパッティング練習をする方法を説明する。
ゴルフ場の練習グリーン上の任意の場所にこのパッティング練習具を載置し、図示しないボールマーカーを円形平板１の中心に形成された孔１５に刺して固定する。
載置面が傾斜している場合には、その傾斜具合に応じて柱体２から垂下された傾斜指示手段３の先端が円形平板１の中心からずれた位置を指示するので、それを見て疑似カップ周りの傾斜具合を確認する。このとき、傾斜指示手段３が、目盛り線１３ａ，１３ｂ，１３ｃの表示がされていない側の半円形領域内を指示していた場合には、パッティング練習具を回転させて目盛り線１３ａ，１３ｂ，１３ｃが表示されている側の半径領域内を傾斜指示手段３が指示するように調整する。
傾斜指示手段３が円形平板１の目盛り線１３ａ，１３ｂ，１３ｃによって区分けされた傾斜領域（緩傾斜、中傾斜、急傾斜）の何れを指示しているかを確認したら、中心線１２の延長線上５歩以内（約３ｍ以内）の位置にボールを置く。
ボールを置いたら目線を低くして、疑似カップまでのパッティングラインを読むが、このときパッティング練習具の傾斜指示手段３が円形平板１の中心からずれていることがパッティング位置からも確認できるので、疑似カップ周りの実際の傾斜具合を意識しながらパッティングラインを読むことができる。
そして、パッティング練習具からの距離が１．５ｍ程度未満の場合には円形平板１上の目印１４ａを目標とし、１．５ｍ以上の場合には目印１４ｂを目標としてパットする。
【００２８】
図４に示すように、載置面が右下がりに傾斜していた場合にはスライスラインとなり打球は疑似カップ付近で右にカーブすることとなる。パットした打球が狙い通りのラインを通った場合には、ボールは疑似カップ近傍で緩やかな右カーブを描きながら柱体２の支柱２ａ，２ｃの間を通って疑似カップたる円形平板１にカップインする。このとき、傾斜指示手段３は揺動可能に垂下されているので、ボールが当たっても邪魔になることはない。
他方、パットした打球が疑似カップ付近に達した段階で疑似カップの右側１／４程度の範囲に逸れてしまった場合には、柱体２の支柱２ｃにボールが当たって弾かれる。このようなコースに行ったボールはカップ直前で右側に曲がってしまい、実際にはカップインしない可能性が高いので、このようなボールを弾くことによって、そのボールがラインを逸れていることを明確に認識させることができる。
また、パットした打球が疑似カップの左側に逸れた場合にも、柱体２の支柱２ａにボールが当たって弾かれる。このようなコースに行ったボールも実際にはカップインしない可能性が高く、そのボールを弾くことによってラインを逸れた打球であったことを明確に認識させることができる。
【００２９】
このような練習を繰り返すことによって、周囲の情況に視覚的に惑わされることなくカップ周りにおける微妙な傾斜の見方が分かるようになり、その傾斜に応じたパッティングラインの読み方を身につけることができるとともに、１〜３ｍ程度の傾斜面におけるパットの精度を高めることができる。
【００３０】
図６は、この発明のパッティング練習具を用いて左下り傾斜面（傾斜角度２．４度）でパッティング練習した場合における打球の軌跡を説明する図である。
この場合、パッティング練習具の設置面は左下がりに２．４度傾斜しているので、疑似カップである円板１の中心を狙ってパットすると、打球は疑似カップの手前で左に曲がって支柱２ｂに当たり、外側に弾かれてカップインしない（図中符号アのライン）。他方、疑似カップ縁より１．５ｍ未満の地点からパットする場合には、円板１上の目印１４ａを狙ってパットすると、打球は疑似カップの手前で左に曲がり、何れの支柱にも弾かれることなくカップインする（図中符号イのライン）。また、疑似カップ縁より１．５ｍ以上の地点からパットする場合には、同じく目印１４ｂを狙ってパットすると、打球は疑似カップの手前で左に曲がってカップインする（図中符号ウのライン）。更に疑似カップ縁より３ｍの地点からパットする場合には、支柱２ａを狙ってパットすると、打球は疑似カップの手前で左に曲がってカップインする（図中符号エのライン）。
傾斜角度が２．４度よりも小さい場合であっても、左下がりに傾斜している場合には疑似カップ手前で打球が左にカーブすることには変わりがないので、目印１４ａ，１４ｂを狙ってパットすることにより、疑似カップたる円板１の内側に打球を運ぶことができるので確実にカップインさせることができる。
【００３１】
図７ないし９は、柱体２の配設位置を調整可能とした実施例を示す図である。
円形平板１は上板１ａと下板１ｂとが円形平板１の中心を回転軸として回転可能な二重構造の板となっており、柱体２を取り付けるための取付片１１は下板１ｂの外縁に延設されている。
上板１ａの表面上には、中心線１２と、同心円状の目盛り線１３ａ，１３ｂ，１３ｃと、中心線１２を挟んで線対称となる位置の外縁部に柱体２の何れか１本の支柱の配設位置を示す目印１６ａ，１６ｂ，１６ｃ，１６ｄがそれぞれ表されている。
目盛り線１３ａ，１３ｂ，１３ｃはそれぞれ順に傾斜角０．８度、１．６度、２．４度を示し、目印１６ａないし１６ｄは傾斜角に応じた支柱２ｂの配設位置を表示するものであり、目印１６ａ，１６ｂ，１６ｃ，１６ｄはそれぞれ順に傾斜角０．８度、１．６度、２．４度、０度のときの支柱の配設位置を示している。
また、上板１ａの目盛り線１３ｃ外側には、中心線１２を挟んで線対称となる位置に、パッティング距離に応じた目標となる目印１４ａ，１４ｂがそれぞれ表されている。
上記以外の構成は実施例１と同様の構成としてある。
【００３２】
この実施例によれば、下板１ｂは回動可能に上板１ａに取り付けられているので、パッティング練習具を練習グリーン上に載置して傾斜具合を確認した後、中心線１２を境として傾斜指示手段３が指示する側に表示された目印１６ａないし１６ｄのうち傾斜角度に対応する目印まで下板ｂを回転させることによって、ラインから逸れたボールを弾く支柱の配設位置を、傾斜角度に応じた適切な位置に微調整することができる。
これにより、傾斜角度に応じたより精度の高いパッティング練習を行うことが可能となる。
【００３３】
図１０は、柱体２を１本の支柱で構成した実施例を示す図である。
柱体２は逆Ｌ字状の支柱で構成されており、実施例１同様、表面に中心線１２と目盛り線１３ａ，１３ｂ，１３ｃが表された円形平板１の外縁に、中心線１２から所定間隔を介して取り付けられている。逆Ｌ字状の支柱からなる柱体２は、先端が円形平板１の中心軸上に位置するように折り曲げられており、その先端には傾斜指示手段３が揺動可能に取り付けられている。
その他、柱体２以外の構成は第１の実施例と同様である。
【００３４】
図１１は、傾斜指示手段３としてデジタル式水準器を用いて構成した実施例を示す図である。
円形平板１の表面には、２つの取付片１１ｂ，１１ｃの中心同士を結ぶ１本の直線と平行となるように中心線１２が表され、この中心線１２を境とする２つの半円形領域のうち、取付片１１が２つ形成されている側の半円形領域は黒色に配色され、黒色に配色された半円形領域と反対側の半円形領域には、パッティング距離に応じてパットする際に目標とすべき目印１４ａ、１４ｂが表示されている。内側の目印１４ａは１．５ｍ未満の距離からパットする場合に目標とする目印で、外側の目印１４ｂは１．５ｍ以上の距離からパットする場合に目標とする目印である。距離が長い場合の目印が外側に表示されているのは、打球の進行方向に対して左右に傾斜した面でパッティングする場合、距離が長いとそれだけ打球が左右に大きく曲がるためである。
また、円形平板１の中心点を通り中心線１２と直交する直線上に位置する円形平板１の縁部には、取付片１１ａ、１１ｄが設けられている。この取付片１１ａ、１１ｄは、傾斜指示手段３を支持する支持手段２を円形平板１に着脱可能に取り付けるためのものであり、取付片１１ａ、１１ｄにはそれぞれ柱体２の下端が挿脱可能な孔が設けられている。
【００３５】
円形平板１の外縁には、柱体２が円形平板１の外縁に接するようにして円形平板１の取付片１１ａ、１１ｄに着脱可能に取り付けられている。
この柱体２は、それぞれ長さ１５ｃｍ程度の２本の支柱２ａ，２ｄと、この２本の支柱に掛け渡された横桟２ｅとで略Ｈ字状に構成してあり、横桟２ｅ上方に傾斜指示手段３を取り付けることができるようになっている。
また、６形平板１の外縁には、追加的に長さ５ｃｍ程度の支柱２ｂ、２ｃが円形平板１の外縁に接するようにして円形平板１の取付片１１ｂ、１１ｃに着脱可能に取り付けられている。
３本の支柱２ａ，２ｂ，２ｃのうち２本の支柱２ｂ，２ｃの下端を結ぶ直線が、円形平板１の中心線１２と並行になるように配設してある（中心線１２と支柱２ｂ，２ｃの下端を結ぶ直線との間隔は２．６５ｃｍである。）。
【００３６】
柱体２の横桟２ｅ上方には、傾斜指示手段３が着脱可能に取り付けてある。
この傾斜指示手段３は、水準器アプリケーションが搭載されたスマートフォンであり、このパッティング練習具をグリーン上に載置した場合にその載置面の傾斜状態が当該スマートフォンの画面上に表示されるようになっている。傾斜状態の表示は、測定された傾斜角度の数値表示でも図形（アナログ水準器による測定結果のような図）表示でもよく、また、傾斜角を０度以上０．８度未満、０．８度以上１．６度未満、１．６度以上２．４度未満、２．４度以上のように区分けして異なる色を割り当て、測定された角度が属する区分の色を表示させることもできる。
【００３７】
この実施例において、傾斜指示手段３は水準器アプリケーションが搭載されたスマートフォンを取り付けて構成したが、デジタル式水準器やアナログ式水準器を用いることもできる。
また、傾斜指示手段３によって計測された傾斜状態の表示は、傾斜指示手段３とは別体の表示器を利用することもできる（図示は省略する。）。この場合、例えば、傾斜指示手段３及び表示器はＢｌｕｅｔｏｏｔｈ（登録商標）機能を搭載したものを用い、Ｂｌｕｅｔｏｏｔｈ（登録商標）による無線通信を利用して、傾斜指示手段３で計測された傾斜データを手元の表示器に送信して表示させることで、載置面の傾斜状態を手元で確認することができる。
さらには、練習時に履く靴にも角度センサーを内蔵させてスタンス位置における傾斜状態も測定可能なものとし、傾斜指示手段３で測定した傾斜角とともに手元の表示器に表示させることもできる。
【００３８】
次に、このパッティング練習具を用いてパッティング練習をする方法を説明する。
ゴルフ場の練習グリーン上の任意の場所にこの円形平板１を載置し、柱体２の支柱２ａ，２ｄをそれぞれ円形平板１の取付片１１ａ，１１ｄに形成された孔を通してグリーンに差し込んで固定する。このとき、略Ｈ字状の柱体２の横桟２ｅと円形平板１の表面とが平行になるように注意する。次いで、傾斜指示手段３である水準器アプリケーション搭載のスマートフォンを垂直横向きにして柱体２の横桟２ｅ上方に取り付ける。さらに、支柱２ｂ，２ｃをそれぞれ円形平板１の取付片１１ｂ，１１ｃに形成された孔を通してグリーンに差し込み固定する。支柱２ｂ，２ｃとしては、例えば、ゴルフのティーを用いることができる。
載置面が傾斜している場合には、その傾斜具合に応じてスマートフォンに搭載された水準器アプリケーションが機能して傾斜状態がスマートフォンの画面上に表示されるので、それを見て疑似カップ周りの傾斜具合を確認する。このとき、目印１４ａ，１４ｂの表示がされている側の半円形領域側が低く傾斜していた場合には、傾斜指示手段３を柱体２から一旦取り外して表裏の向きを変えて再び柱体２に取り付け、目印１４ａ，１４ｂの表示がされている側の半円形領域側が高くなるようにする。
傾斜指示手段３により載置面の傾斜状態を確認した後、中心線１２の延長線上５歩以内（約３ｍ以内）の位置にボールを置く。
ボールを置いたら目線を低くして、疑似カップまでのパッティングラインを読むが、このときパッティング練習具の傾斜指示手段３に表示された傾斜状態をパッティング位置からも確認できるので、疑似カップ周りの実際の傾斜具合を意識しながらパッティングラインを読むことができる。
そして、パッティング練習具からの距離が１．５ｍ程度未満の場合には円形平板１上の目印１４ａを目標とし、１．５ｍ以上の場合には目印１４ｂを目標としてパットする。
また、この実施例においても、パッティング練習の際、支柱２ａ，２ｂ，２ｃがラインを逸れてカップインする可能性が低い打球を弾いて、その打球がラインを逸れた打球であったことを明確に認識させることができる点は、第１の実施例と同様である。
【００３９】
図１２は、傾斜指示手段３を円形平板１の表面に組み込んで配設した場合の実施例を示す図である。
この実施例において、傾斜指示手段３は、円形平板１の傾きを検出する角度センサーと、角度センサーの検出値に基づいて傾斜角を演算する演算処理部と、演算処理部からの出力信号に基づいて傾斜角を表示する表示部とを備えた回路として構成されている。
円形平板１の表面には、２つの取付片１１ｂ，１１ｃの中心同士を結ぶ１本の直線と平行となるように中心線１２が表され、この中心線１２を境とする２つの半円形領域のうち、取付片１１ｂ、１１ｃが形成されている側の半円形領域には、３本の半円状の目盛り線１３ａ，１３ｂ，１３ｃが円形平板１の中心点を中心として同心円状に表されている。
円形平板１の内部には、角度センサーと演算処理部と表示部とを備えた回路からなる傾斜指示手段３が埋設されている。傾斜指示手段３の角度センサーは、円形平板１の水平状態に対する傾きを検出できるものであればよく、演算処理部は角度センサーの検出値に基づいて傾斜角を演算出力できればよい（何れも図示は省略する）。傾斜指示手段３の表示部３Ｌは、円形平板１表面の中心線１２と直交する直線上の目盛り線１３ａ，１３ｂ，１３ｃ及び目盛り線１３ｃの外側位置においてＬＥＤランプＬａ，Ｌｂ，Ｌｃ，Ｌｄとして外部から視認できるように埋設されている。このＬＥＤランプＬａ，Ｌｂ，Ｌｃ，Ｌｄは、傾斜指示手段３の演算処理部に接続されており、円形平板１の傾きを検出する角度センサーの検出値に基づいて演算された傾斜角が０度以上０．８度未満の場合にはＬａが、０．８度以上１．６度未満の場合にはＬｂが、１．６度以上２．４度未満の場合にはＬｃが、２．４度以上の場合にはＬｄが、それぞれ異なる色で点灯するようになっている。
目盛り線１３ａ，１３ｂ，１３ｃが表された半円形領域と反対側の半円形領域には、パッティング距離に応じてパットする際に目標とすべき目印１４ａ、１４ｂが表示されている。内側の目印１４ａは１．５ｍ未満の距離からパットする場合に目標とする目印で、外側の目印１４ｂは１．５ｍ以上の距離からパットする場合に目標とする目印である。距離が長い場合の目印が外側に表示されているのは、打球の進行方向に対して左右に傾斜した面でパッティングする場合、距離が長いとそれだけ打球が左右に大きく曲がるためである。
また、円形平板１の中心点を通り中心線１２と直交する直線上に位置する円形平板１の縁部には、取付片１１ａが設けられている。この取付片１１ａは、取付片１１ｂ，１１ｃとともに、柱体２によって円形平板１を設置面に固定するためのものであり、それぞれ柱体２の下端が挿脱可能な孔が設けられている。
また、この実施例においても、パッティング練習の際、支柱２ａ，２ｂ，２ｃがラインを逸れカップインする可能性が低い打球を弾いて、その打球がラインを逸れた打球であったことを明確に認識させることができる点は、他の実施例と同様である。
【００４０】
上記実施例は何れも円形平板１を直接グリーン上に載置するものとしたが、円形平板１を直接グリーン上に載置するのではなく、３本の支柱２ａ，２ｂ，２ｃからなる柱体２を円形平板１の裏側に取り付け、この柱体２をグリーン表面に差し込むことにより、グリーン表面と円形平板１との間にゴルフボールが通過できる程度以上の所定間隔を設けて設置することもできる（図１３参照）。
この場合、支柱２ａ，２ｂ，２ｃは何れも全長１０ｃｍ程度とし、長さ１．５ｃｍ程度の差込部を備えるものとする。そして、支柱２ａ，２ｂ，２ｃの差込部の基端にはそれ以上差し込まれないようにするための段差Ｓを備えるものとする。また、各支柱２ａ，２ｂ，２ｃは、未使用時には円形平板１側に折りたたむことができる。
その他の構成は、傾斜指示手段３を円形平板１の表面に組み込んで配設した場合の実施例と同様である。
この実施例において、３本の支柱２ａ，２ｂ，２ｃの寸法は何れも同じで差込部の基端にそれぞれ段差Ｓが設けてあり、支柱２ａ，２ｂ，２ｃをそれぞれの段差Ｓ部分までグリーンに差し込むことによって、円形平板１がグリーンに載置されていなくてもグリーン表面と平行状態にしてパッティング練習具を設置することができるので、グリーン表面の傾斜状態を円形平板１に組み込まれた傾斜指示手段３で測定することができる。
【産業上の利用可能性】
【００４１】
この発明は、ゴルフのパッティング練習具に関するものであり、産業上の利用可能性を有するものである。
【符号の説明】
【００４２】
１    円形平板
１ａ  上板
１ｂ  下板
１１  取付片
１１ａ，１１ｂ，１１ｃ，１１ｄ  取付片
１２  中心線
１３ａ，１３ｂ，１３ｃ  目盛り線
１４ａ，１４ｂ  目印
１５  孔
１６ａ，１６ｂ，１６ｃ，１６ｄ  目印
２    柱体
２ａ，２ｂ，２ｃ，２ｄ  支柱
２ｅ  横桟
３    傾斜指示手段
３１  釣り糸
３２  錘
３Ｌ  表示部
【図１】
2014014653.tif 000003
【図３】
2014014653.tif 000004
【図４】
2014014653.tif 000005
【図５】
2014014653.tif 000006
【図６】
2014014653.tif 000007
【図７】
2014014653.tif 000008
【図８】
2014014653.tif 000009
【図９】
2014014653.tif 000010
【図１０】
2014014653.tif 000011
【図１１】
2014014653.tif 000012
【図１２】
2014014653.tif 000013
【図１３】
2014014653.tif 000014
【図２】
2014014653.tif 000015